(57)【要約】本願は、電気器具のカプラーの取付構造および電気器具を開示し、前記カプラーは、カプラー本体とプラグイン端子とを含み、前記取付構造は、前記カプラーが挿入される取付溝を含み、前記取付溝の内側にポカヨケ構造が設けられており、前記ポカヨケ構造は、前記カプラーが第１方位で前記取付溝に挿入されると、前記ポカヨケ構造が前記プラグイン端子間の空間に挿入可能であるため、前記カプラーが適切な位置に挿入されることができ、一方、前記カプラーが第１方位以外の方位で前記取付溝に挿入されると、前記ポカヨケ構造が前記プラグイン端子と干渉可能であるため、前記カプラーの挿入を妨げるようになっている。ポカヨケ構造がカプラーのプラグイン端子と協働することによりカプラーの正確な取り付けを確保する。
2021524984.tif 000002
【特許請求の範囲】
【請求項１】
カプラーがカプラー本体とプラグイン端子とを含む電気器具のカプラーの取付構造であって、
前記取付構造は、前記カプラーが挿入される取付溝を含み、前記取付溝の内側にポカヨケ構造が設けられており、前記ポカヨケ構造は、前記カプラーが第１方位で前記取付溝に挿入されると、前記ポカヨケ構造が前記プラグイン端子間の空間に挿入可能であるため、前記カプラーが適切な位置に挿入されることができ、一方、前記カプラーが第１方位以外の方位で前記取付溝に挿入されると、前記ポカヨケ構造が前記プラグイン端子と干渉可能であるため、前記カプラーの挿入を妨げるようになっていることを特徴とする電気器具のカプラーの取付構造。
【請求項２】
前記電気器具は、メインボードと、前記メインボードを取り付けるためのブラケットとを含み、
前記ポカヨケ構造は、前記ブラケットの上側に設けられていることを特徴とする請求項１に記載の電気器具のカプラーの取付構造。
【請求項３】
前記ポカヨケ構造は、前記ブラケットから上方向に延出する凸構造として構成され、
前記凸構造は、前記取付溝の内側にあることを特徴とする請求項２に記載の電気器具のカプラーの取付構造。
【請求項４】
前記電気器具は、電気器具本体を含み、前記ポカヨケ構造および前記取付溝が前記電気器具本体の一方側に設けられていることを特徴とする請求項１に記載の電気器具のカプラーの取付構造。
【請求項５】
前記ポカヨケ構造は、前記電気器具本体から前記取付溝へ延出する凸構造として構成され、
前記凸構造は、前記取付溝の内側にあることを特徴とする請求項４に記載の電気器具のカプラーの取付構造。
【請求項６】
前記ポカヨケ構造は、ポカヨケ構造を前記電気器具に接続するための接続部と、前記凸構造によって構成されるポカヨケ部と、を含むことを特徴とする請求項３又は５に記載の電気器具のカプラーの取付構造。
【請求項７】
第１方位以外の方位は、第１方位と１８０度ずれた第２方位を含むことを特徴とする請求項１又は６に記載の電気器具のカプラーの取付構造。
【請求項８】
前記取付溝の入り口に設けられ、前記カプラーにおける第２位置決め構造と協働するための第１位置決め構造を含み、前記第１位置決め構造と第２位置決め構造とが協働することにより、前記カプラーの取り付けのための位置決めを実現することを特徴とする請求項１又は６に記載の電気器具のカプラーの取付構造。
【請求項９】
前記第１位置決め構造は、前記取付溝の入り口に形成された締付リブを含み、
前記締付リブは、前記第１位置決め構造と前記第２位置決め構造との接続を締付するために使用されることを特徴とする請求項８に記載の電気器具のカプラーの取付構造。
【請求項１０】
請求項１乃至９のうちのいずれか１項に記載の電気器具のカプラーの取付構造を含むことを特徴とする電気器具。
【発明の詳細な説明】
【関連出願】
【０００１】
本願は、２０１８年０８月０９日にて出願した、出願番号が２０１８１０９０３０１８．０で、名称が「電気器具のカプラーの取付構造および電気器具」である中国特許出願の優先権を主張し、その内容を全て参照により本願に組み込むものとする。
【技術分野】
【０００２】
本願は、電気器具の技術分野に関し、特に、電気器具のカプラーの取付構造および電気器具に関する。
【背景技術】
【０００３】
アダプターとも呼ばれるカプラーは、システム間で電力を伝送するデバイスであり、マイクロ波システムにてマイクロ波電力をいくつかに比例的に分割することができる。カプラーは、ハードウェア又は電子インターフェースを別のハードウェア又は電子インターフェースと接続可能な独立したハードウェアインターフェース装置であり得る。電気器具の耐火試験において重要な部品であるカプラーは、その取付方向が逆になっていれば、活線端子が導電性液体に接触しやすくなり、安全上の問題を招き、また、カプラーを逆に取り付けることができていれば、機械全体の内部配線が混乱しやすく、ＥＭＣテストの一貫性が低下してしまう。それゆえ、カプラーの取り付けにはポカヨケ設計が必要である。
【発明の概要】
【発明が解決しようとする課題】
【０００４】
これに鑑みて、本願の目的は、ポカヨケ構造がカプラーのプラグイン端子と協働することによりカプラーの正確な取り付けを確保する電気器具のカプラーの取付構造および電気器具を提供することにある。
【課題を解決するための手段】
【０００５】
上記目的を達成するために、本願は以下の構成を有する。
【０００６】
カプラーがカプラー本体とプラグイン端子とを含む電気器具のカプラーの取付構造であって、前記取付構造は、前記カプラーが挿入される取付溝を含み、前記取付溝の内側にポカヨケ構造が設けられており、前記ポカヨケ構造は、前記カプラーが第１方位で前記取付溝に挿入されると、前記ポカヨケ構造が前記プラグイン端子間の空間に挿入可能であるため、前記カプラーが適切な位置に挿入されることができ、一方、前記カプラーが第１方位以外の方位で前記取付溝に挿入されると、前記ポカヨケ構造が前記プラグイン端子と干渉可能であるため、前記カプラーの挿入を妨げるようになっている。
【０００７】
一実施例において、前記電気器具は、メインボードと、前記メインボードを取り付けるためのブラケットとを含み、前記ポカヨケ構造は前記ブラケットの上側に設けられている。
【０００８】
一実施例において、前記ポカヨケ構造は、前記ブラケットから上方向に延出する凸構造として構成され、前記凸構造は前記取付溝の内側にある。
【０００９】
一実施例において、前記電気器具は、電気器具本体を含み、前記ポカヨケ構造および前記取付溝が前記電気器具本体の一方側に設けられている。
【００１０】
一実施例において、前記ポカヨケ構造は、前記電気器具本体から前記取付溝へ延出する凸構造として構成され、前記凸構造は前記取付溝の内側にある。
【００１１】
一実施例において、前記ポカヨケ構造は、ポカヨケ構造を前記電気器具に接続するための接続部と、前記凸構造によって構成されるポカヨケ部と、を含む。
【００１２】
一実施例において、第１方位以外の方位は、第１方位と１８０度ずれた第２方位を含む。
【００１３】
一実施例において、前記取付溝の入り口に設けられ、前記カプラーにおける第２位置決め構造と協働するための第１位置決め構造を含み、前記第１位置決め構造と第２位置決め構造とが協働することにより、前記カプラーの取り付けのための位置決めを実現する。
【００１４】
一実施例において、前記第１位置決め構造は、前記取付溝の入り口に形成された締付リブを含み、前記締付リブは、前記第１位置決め構造と前記第２位置決め構造との接続を締付するために使用される。
【００１５】
他の態様では、本願は以下の構成を有する。
【００１６】
電気器具であって、上述したカプラーの取付構造を含む。
【発明の効果】
【００１７】
本願に係る電気器具のカプラーの取付構造および電気器具によれば、ポカヨケ構造がカプラーのプラグイン端子と協働することによりカプラーの正確な取り付けを確保する。
【図面の簡単な説明】
【００１８】
以下、図面を参照しつつ本願の実施例を説明することで、本願の上述したおよび他の目的、特徴およびメリットがより明確になる。図面において、
【図１】本願に係るカプラーの取付構造を示す分解概略図。
【図２】本願に係るカプラーの取付構造を示す部分構造概略図。
【符号の説明】
【００１９】
１…電気器具本体、２…メインボード、３…ブラケット、４…カプラー、４１…カプラー本体、４２…プラグイン端子、４３…第２位置決め構造、５…取付構造、５１…取付溝、５２…ポカヨケ構造、５２１…ポカヨケ部、５２２…接続部、５３…第１位置決め構造、５３１…締付リブ。
【発明を実施するための形態】
【００２０】
以下、本願について実施例に基づいて説明するが、しかし本願はこれらの実施例のみに限定されていない。後文で本願の詳細に関する説明において、一部の特定の詳細な内容を詳しく説明する。当業者にとって、これらの詳細な内容に関する説明がなくても本願を完全に理解することができる。本願の本質の混同を避けるために、公知される方法、過程、流れ、素子について詳しく記述していない。
【００２１】
また、ここで提供される図面はいずれも説明のためであり、図面は原寸に比例して示されていないことは、当業者が理解するであろう。
【００２２】
文脈上、そうでないとする明確な指示がない限り、明細書および特許請求の範囲全体における「含む」、「有する」といった用語は、排他的または網羅的にならずに含むことを意味し、つまり、「何らを含むがこれに限られない」ことを意味する。
【００２３】
本願の説明において、「第１」、「第２」等の用語は、説明するために過ぎず、相対的な重要性を明示又は暗示するものと理解されてはならないことは理解されるべきである。また、本願の説明において、そうでないと限定がない限り、「複数」とは２つ以上を意味する。
【００２４】
本願は、電気器具のカプラー４の取付構造５および該取付構造５が設けられている電気器具を提供する。図１に示されるように、該カプラー４は、カプラー本体４１とプラグイン端子４２とを含み、前記取付構造５は、前記カプラー４が挿入される取付溝５１を含み、前記取付溝５１の内側にポカヨケ構造５２が設けられており、前記ポカヨケ構造５２は、前記カプラー４が第１方位で前記取付溝５１に挿入されると、前記ポカヨケ構造５２が前記プラグイン端子４２間の空間に挿入可能であるため、前記カプラー４が適切な位置に挿入されることができ、一方、前記カプラー４が第１方位以外の方位で前記取付溝５１に挿入されると、前記ポカヨケ構造５２が前記プラグイン端子４２と干渉可能であるため、前記カプラー４の挿入を妨げるようになっている。このようにして、カプラー４の逆取り付けを回避することができ、カプラー４の正常な取り付けを保証し、逆取り付けによる安全性のリスクを回避する。
【００２５】
図１に示されるように、代替な実施例において、前記電気器具は、メインボード２と、前記メインボード２を取り付けるためのブラケット３とを含み、前記ポカヨケ構造５２は前記ブラケット３の上側に設けられ、ブラケット３に固定接続されることにより、ポカヨケ構造５２の接続の安定性および取付構造５全体の強度を保証する。任意選択で、前記ポカヨケ構造５２は、前記ブラケット３から上方向に延出する凸構造として構成され、前記凸構造は前記取付溝５１の内側（本願では、内側とは電気器具の内部に向かう側を指す）にあってもよい。カプラー４が正確な方向で取り付けられると、ポカヨケ構造５２はちょうどカプラー４の差込接続端子の中央にあり、カプラー４が１８０度反転されて取り付けられると、ポカヨケ構造５２はちょうどカプラー４の差込接続端子に突き当たっているため、それが適切な位置に取り付けられることができないので、カプラー４の正確な取り付けを保証する。
【００２６】
他の代替な実施例において、図１に示されるように、前記電気器具は、電気器具本体１を含み、前記ポカヨケ構造５２および前記取付溝５１が前記電気器具本体１の一方側に設けられ、前記ポカヨケ構造５２は、前記電気器具本体１から前記取付溝５１へ延出する凸構造として構成され、前記凸構造は前記取付溝５１の内側にある。同様に、カプラー４が正確な方向で取り付けられると、ポカヨケ構造５２はちょうどカプラー４の差込接続端子の中央にあり、カプラー４が１８０度反転されて取り付けられると、ポカヨケ構造５２はちょうどカプラー４の差込接続端子に突き当たっているため、それが適切な位置に取り付けられることができないので、カプラー４の正確な取り付けを保証する。
【００２７】
具体的な一実施例において、図１に示されるように、前記ポカヨケ構造５２は、接続部５２２とポカヨケ部５２１とを含み、前記接続部５２２は、ポカヨケ構造５２を前記電気器具に接続するために使用され、前記凸構造によって前記ポカヨケ部５２１が構成され、すなわち、前記接続部５２２は、ブラケット３に固定接続されるか、或いは、電気器具本体１に固定接続され、前記ポカヨケ部５２１は、カプラー４の取り付けに対するポカヨケ対策となる。カプラー４は３つのプラグイン端子４２を含み、３つのプラグイン端子４２は同一の直線上ではなく、すなわち、３つのプラグイン端子４２のある位置の接続線は、三角形、好ましくは二等辺三角形を形成することができる。カプラー４が正確な方向で取り付けられると、ポカヨケ部５２１はちょうどカプラー４の差込接続端子の中央にあり、カプラー４が１８０度反転されて取り付けられると、ポカヨケ部５２１はちょうどカプラー４の差込接続端子に突き当たっているため、それが適切な位置に取り付けられることができないので、カプラー４の逆取り付けを回避し、逆取り付けに起因する安全性のリスクをなくし、該電気器具全体の安全性を向上させる。また、前記ポカヨケ部５２１は、柱状またはブロック状または板状であり得、好ましくは柱状であり、カプラー４の取り付けに対するポカヨケ効果をより容易に実現する。カプラー４が第１方位で取り付けられると、すなわち、正確な方位で取り付けられると、ポカヨケ部５２１がカプラー４のプラグイン端子４２間にあるため、取り付け時、２つのプラグイン端子４２間にポカヨケ部５２１を通過させる必要があり、ポカヨケ部５２１を柱状とすれば、柱状のポカヨケ部５２１の外円直径と２つのプラグイン端子４２間の距離とを等しく又はほぼ等しくする前提において、プラグイン端子４２の通過をより容易に実現することができ、一方、ポカヨケ部５２１の幅を最大限にする際に、カプラー４の第１方位での取り付けに対する止め効果が最も高く、ポカヨケ効果をより良好に発揮することができる。
【００２８】
なお、該ポカヨケ構造５２の接続部５２２とポカヨケ部５２１とが一体構造であってもよいし、螺着又は係着又は接着により接続されてもよく、好ましくは接続部５２２とポカヨケ部５２１とが一体構造であり、ポカヨケ構造５２全体の強度を保証する。また、該ポカヨケ構造５２はブラケット３と一体成形構造であってもよく、或いは、該ポカヨケ構造５２は電気器具本体１と一体構造であるか、または、螺着又は係着又は接着により接続され、一体構造とすればポカヨケ構造５２とブラケット３又は電気器具本体１との接続の強度をより高くすることができ、また、別体構造とすればブラケット３およびポカヨケ構造５２の加工や作成が容易になり、後でポカヨケ構造５２が壊れても、交換や保守が容易に行われ、保守コストをある程度節約する。
【００２９】
代替な実施例において、図１および図２に示されるように、該カプラー４の取付構造５は、前記取付溝５１の入り口に設けられ、前記カプラー４における第２位置決め構造４３と協働するための第１位置決め構造５３をさらに含む。前記第１位置決め構造５３と第２位置決め構造４３とが協働することにより、前記カプラー４の取り付けのための位置決めを実現する。前記第１位置決め構造は、前記取付溝の入り口に形成された締付リブ５３１を含み、前記第１位置決め構造５３は、前記第２位置決め構造４３と協働する位置決め溝であり、前記締付リブ５３１が前記位置決め溝の溝壁にあり、第２位置決め構造４３が位置決め溝内に挿入され、締付リブ５３１によって第２位置決め構造４３と第１位置決め構造５３とを加締め、第１位置決め構造５３と第２位置決め構造４３との締付接続を実現する。
【００３０】
衝突しない限り、上述した代替案を自由に組み合わせたり重ね合わせたりすることができると当業者が容易に理解できる。
【００３１】
上述した実施形態は、例示的なものに過ぎず、限定するものではなく、本願の基本原理から逸脱しない限り、当業者は上述の詳細に対して種々の明らかな又は同等の修正或いは置換えを行うことができ、いずれも本願の特許請求の範囲内に含まれることは、理解するであろう。
【図１】
2021524984.tif 000003
【図２】
2021524984.tif 000004
【国際調査報告】
2021524984.tif 000005
2021524984.tif 000006
2021524984.tif 000007
2021524984.tif 000008